(57)【要約】【課題】  コンパクトで取付けやすく、取付け後の安定性の良い補聴用集音器の提供。【解決手段】  偏平な鍋形の本体１の底部１ａに連通孔１ｂを形成し、本体１の開口を閉塞する蓋部２に耳殻挿通孔２ａを設ける。そして、本体１の連通孔１ｂに連通してラッパ状のホーン部３を設ける。【選択図】        図７
2010147739.tif 000002
【特許請求の範囲】
【請求項１】
偏平な鍋形に形成され、その底部(1a)に連通孔(1b)を有すると共に、被補聴者の耳殻を収納する本体(1) と、
その本体(1) の開口を開閉自在に閉塞すると共に、前記耳殻をその耳殻挿通孔(2a)に挿通したとき、その耳殻の根元に保持される蓋部(2) と、
前記本体(1) の前記連通孔(1b)に連通され、根元から外側に拡大するラッパ状または椀状のホーン部(3) と、を具備する補聴用集音器。
【請求項２】
請求項１において、
前記ホーン部(3) の根元部分が、偏平に形成された補聴用集音器。
【請求項３】
請求項１または請求項２において、
少なくとも前記蓋部(2) が皮革、ゴム材、軟質樹脂材等の可撓性材料からなり、その蓋部(2) の先端に舌片部(5)が突設され、
その舌片部(5)と、本体(1) またはホーン部(3) との間が係止部材(4)で係脱自在に係止される補聴用集音器。
【請求項４】
請求項１〜請求項３のいずれかにおいて、
前記本体(1) の前記連通孔(1b)が、その底部(1a)の下部寄りに形成され、
前記耳殻連通孔(2a)の顔面側が略直線的に形成され、その対向側が弧状に形成された補聴用集音器。
【発明の詳細な説明】
【技術分野】
【０００１】
本発明は軽度の難聴を解消するための補聴用集音器に関する。
【背景技術】
【０００２】
被補聴者の難聴を解消するものとして、各種集音器が提案されている。それらは耳に取付ける椀形またはラッパ状のものである。それを耳に取付けるには、バネ型フレーム等を利用していた。そして、より大きな集音効果を得る必要から、椀形またはラッパ状のホーン部分をより大きくする必要があった。
【０００３】
【特許文献１】特開２００３−２３５１００号公報
【特許文献２】特開２００２−１５３５１０号公報
【特許文献３】特開２００２−２３８０９６号公報
【特許文献４】実開平２−５５２９８号公報
【特許文献５】実用新案登録第３０６０２９６号公報
【発明の開示】
【発明が解決しようとする課題】
【０００４】
従来の集音器はバネ等を利用して耳に取付けるため、取付けの違和感があるとともに、外れ易い欠点がある。また、集音をラッパ状または椀状のホーン部分のみで行うため、それらが大きくなり、体裁が悪いとともに耳への取付け性が悪い欠点があった。
そこで本発明はこれらの問題点を解決することを課題とする。
【課題を解決するための手段】
【０００５】
請求項１に記載の本発明は、偏平な鍋形に形成され、その底部(1a)に連通孔(1b)を有すると共に、被補聴者の耳殻を収納する本体(1) と、
その本体(1) の開口を開閉自在に閉塞すると共に、前記耳殻をその耳殻挿通孔(2a)に挿通したとき、その耳殻の根元に保持される蓋部(2) と、
前記本体(1) の前記連通孔(1b)に連通され、根元から外側に拡大するラッパ状または椀状のホーン部(3) と、を具備する補聴用集音器である。
【０００６】
請求項２に記載の本発明は、請求項１において、
前記ホーン部(3) の根元部分が、偏平に形成された補聴用集音器である。
請求項３に記載の本発明は、請求項１または請求項２において、
少なくとも前記蓋部(2) が皮革、ゴム材、軟質樹脂材等の可撓性材料からなり、その蓋部(2) の先端に舌片部(5)が突設され、
その舌片部(5)と、本体(1) またはホーン部(3) との間が係止部材(4)で係脱自在に係止される補聴用集音器である。
【０００７】
請求項４に記載の本発明は、請求項１〜請求項３のいずれかにおいて、
前記本体(1) の前記連通孔(1b)が、その底部(1a)の下部寄りに形成され、
前記耳殻連通孔(2a)の顔面側が略直線的に形成され、その対向側が弧状に形成された補聴用集音器である。
【発明の効果】
【０００８】
本発明の補聴用集音器は、その蓋部２の耳殻挿通孔２ａに被補聴者８の耳殻９を挿出したとき、蓋部２自体が耳殻９の根元に保持される。そして、蓋部２が本体１を閉塞するとき、耳殻９は本体１内に収納され、ホーン部３により集音された音が本体１内に集められてより大きな音として聴取することができる。
そのため、補聴用集音器全体をコンパクトとして、取り扱い易いものとすることができる。
また、本体１は偏平ななべ型に形成され、その底部１ａに連通孔１ｂを有し、音の共鳴体として作用し、より大きな音として被補聴者８にそれを伝えることができる。
【０００９】
上記構成において、請求項２に記載のようにホーン部３の根元部を偏平に形成した場合には、補聴用集音器をよりコンパクトにすることができる。
上記構成において、請求項３に記載のように少なくとも蓋部２を皮革等の可撓性材料で形成し、その蓋部２の先端に舌片部５を突設し、その舌片部５と本体１またはホーン部３との間を係止部材４で係脱自在に係止する場合には、補聴用集音器の耳殻９への取付が容易で取扱い性のよいものとなる。
【００１０】
上記構成において、請求項４に記載のように本体１の連通孔１ｂをその底部１ａの下部よりに形成するとともに、耳殻挿通孔２ａの顔面側を略直線的に形成し、その対向側を弧状に形成した場合には、人の耳の形状に馴染み取付けやすく、補聴用集音器の取付け後の安定性がよい。それとともに集音された音を効率よく耳に伝えることができる。
【発明を実施するための最良の形態】
【００１１】
次に図面に基づいて本発明の実施の形態につき説明する。
図１は本発明の補聴用集音器の斜視図であり、図２はその裏面図（左右一対）、図３は図１のIII−III矢視断面図、図４はその蓋部２を開放した状態を示す斜視図、図５はその蓋部２を閉じようとしている状態を示す斜視図である。また図６は同補聴用集音器の取付けの第１段階を示す説明図、図７はその取付け状態を示す斜視図である。
【００１２】
本発明の補聴用集音器は、図４に示すごとく本体１と蓋部２とホーン部３とを有する。蓋部２とホーン部３とは図３に示すごとく、この例では接続部３ｂにより一体に連続されている。そして、その接続部３ｂにおいて蓋部２およびホーン部３が、本体１に接着剤を用いた接着部３ｃ等により接続、固定されている。なお、蓋部２とホーン部３とを分離し、それぞれを本体１に別々に接合することもできる。この例では、本体１と蓋部２とホーン部３はともに革材で形成されている。
【００１３】
本体１は、長軸側が上下方向に配置される浅い楕円の鍋形に形成され、その底部１ａの下部よりに連通孔１ｂが形成されている。次に蓋部２はその外周が本体１内周に整合し、その本体１の開口を開閉自在に閉塞するものである。蓋部２の先端部には舌片部５が設けられ、その舌片部５の端部にはスナップからなる係止部材４の雌部材４ｂが取付けられている。そして、本体１の底部１ａおよびホーン部３を貫通固定する係止部材４の雄部材４ａがホーン部３内面に突出されている。
【００１４】
蓋部２には被補聴者８の耳殻９が挿通される耳殻挿通孔２ａを有する。この耳殻挿通孔２ａは被補聴者８の顔面側が略直線状に形成され、それに対向する側が弧状に形成されている。耳殻挿通孔２ａをこのようにすることにより、被補聴者８の耳殻９を挿入し易く且つ、挿入状態で安定して補聴用集音器１０を耳殻９に支持しうる。
このようにすることによりホーン部３をコンパクトに且つ、体裁よくすることができる。この蓋部２の耳殻挿通孔２ａの内面側縁部には図３に示すごとく、フェルト６が接合され、その上面に被覆布７が被着されている。このように耳殻挿通孔２ａを蓋部２の孔縁部に設けることにより、補聴用集音器１０を耳殻９に安定して取り付けるとともに、長時間の使用によっても違和感を覚えない。なお、フェルト６の替わりに不織布や柔軟な革材等を使用することもできる。
【００１５】
次にホーン部３は根元から外側に拡大するラッパ状に形成され、その根元部は偏平に形成されている。また、このホーン部３は図示のラッパ状が好ましいが、それに限らず、椀状に形成することもできる。ホーン部３の本体１側はその連通孔１ｂに整合する連通孔３ａが形成されている。
【００１６】
（作用）
次に、本発明の補聴用集音器１０の取付け方法につき述べる。図６に示すごとく、蓋部２の耳殻挿通孔２ａに被補聴者８の耳殻９を挿通する。すると、耳殻９の根元部に耳殻挿通孔２ａが位置し、補聴用集音器１０全体を安定的に耳殻９に支持することができる。なお、耳殻挿通孔２ａの大きさは、耳殻の根元より少し大きい程度に形成されている。次いで、本体１を蓋部２側に移動し、舌片部５を本体１側に巻き込んで、その先端の雌部材４ｂをホーン部３の雄部材４ａに係止する。そして、図７のごとく補聴用集音器１０を取付ける。この補聴用集音器１０は、図２（Ａ）、（Ｂ）のごとく左右対称形に形成されている。そこで、両耳にそれぞれの補聴用集音器１０を取付ける。
本発明者の実験によれば、テレビ等を視聴したとき、補聴用集音器１０を取付けない場合に比べ、それを取付けたときには、４０％程度音が大きく聞こえた。これはホーン部３と本体１との相互作用によるものと思われる。
【図面の簡単な説明】
【００１７】
【図１】本発明の補聴用集音器１０の斜視図。
【図２】同裏面図。
【図３】図１のIII−III矢視断面図。
【図４】同補聴用集音器１０の蓋部２を開放状態を示す斜視図。
【図５】同補聴用集音器１０の蓋部２を本体１に閉塞する途中段階を示す斜視図。
【図６】本発明の補聴用集音器１０の取付けの第１段階を示す説明図。
【図７】同取付け状態を示す説明図。
【符号の説明】
【００１８】
１  本体
1a  底部
1b  連通孔
1c  立ち上げ部
２  蓋部
2a  耳殻挿通孔
３  ホーン部
3a  連通孔
3b  接続部
3c  接着部
【００１９】
４  係止部材
4a  雄部材
4b  雌部材
５  舌片部
６  フェルト
７  被覆布
８  被補聴者
９  耳殻
10  補聴用集音器
【図１】
2010147739.tif 000003
【図２】
2010147739.tif 000004
【図３】
2010147739.tif 000005
【図４】
2010147739.tif 000006
【図５】
2010147739.tif 000007
【図６】
2010147739.tif 000008
【図７】
2010147739.tif 000009